(57)【要約】【課題】幅の狭い紙幣が挿入された場合、その紙幣の幅方向の位置は定まらず識別手段は、予め定められた規定の場所の特徴を検出することができないので、幅の狭い紙幣を認識できない。【解決手段】挿入口２２あるいは通路２４の少なくとも一方には、紙幣２３と紙幣２５の夫々を通路２４の予め定められた位置へ誘導する紙幣誘導部を有している。これにより、紙幣誘導部において、幅の異なる紙幣夫々に対して幅方向の位置を規制することができるので、幅の狭い紙幣２５の幅方向の位置を精度良く制限することができる。従って、幅の広い紙幣２３と、狭い紙幣２５とを共に識別することができる紙幣識別装置を提供することができる。【選択図】図１
2005122427.tif 000002
【特許請求の範囲】
【請求項１】
第１の紙幣とこの第１の紙幣より幅の狭い第２の紙幣とを識別する紙幣識別装置において、前記紙幣識別装置は、前記第１の紙幣が挿入される挿入口と、この挿入口に連結して設けられた通路と、この通路に設けられた搬送手段と、前記通路の途中に設けられた識別手段と、前記通路の後方に設けられた出口とを備え、前記挿入口あるいは前記通路の前方の少なくとも一方には、前記第１の紙幣と前記第２の紙幣の夫々を前記通路の予め定められた位置へ誘導する紙幣誘導部を有した紙幣識別装置。
【請求項２】
紙幣誘導部は、第１の紙幣が挿入される第１の通路と、第２の紙幣が挿入される第２の通路とから構成され、前記第２の通路は、第１の通路の上方あるいは下方に並列に設けられるとともに、前記第２の通路の幅は前記第１の紙幣の幅より狭くするとともに、前記第１の通路と前記第２の通路とは少なくとも前記識別手段よりも挿入口側で交わる請求項１に記載の紙幣識別装置。
【請求項３】
搬送手段は、第１の通路と第２の通路とが交わる交差部と識別手段との間に設けられた請求項２に記載の紙幣識別装置。
【請求項４】
第１の通路の側面に設けられるとともに、紙幣の挿入を検出する２個の入り口センサを設け、これらの入り口センサからの出力が、接続された制御手段を有し、前記２個の入り口センサ間の間隔は、第２の紙幣の幅より広くするとともに、前記制御手段は前記入り口センサの双方で紙幣挿入を検知した場合にのみ、搬送手段を駆動させる請求項２に記載の紙幣識別装置。
【請求項５】
入り口センサは、回転自在に軸支された伝達部と、この伝達部の一方にＬ字状に設けられるとともに前記第１の通路へ突出する感知部と、前記伝達部の他方に設けられた遮蔽板とから成り、この遮蔽板を挟んで設けられたフォトインタラプタの出力が制御手段に接続されるとともに、紙幣の挿入による伝達部の回転によって、前記フォトインタラプタからの出力をオン・オフする請求項４に記載の紙幣識別装置。
【請求項６】
２個の入り口センサは、遮蔽板の外面側を互いに対向して配置された請求項５に記載の紙幣識別装置。
【請求項７】
第１の通路と第２の通路の夫々に入り口センサを配置した請求項２に記載の紙幣識別装置。
【請求項８】
第２の通路に配置した入り口センサと、第１の通路と第２の通路との交差部には設けられるとともに、前記第２の通路を遮断するように付勢された通路切替手段と、この通路切替手段に接続された駆動手段と、この駆動手段を制御する制御手段とを有し、前記制御手段は、第２の紙幣挿入時に前記駆動手段を駆動して前記通路切替手段で第２の通路を開放する請求項２に記載の紙幣識別装置。
【請求項９】
通路切替手段は、駆動手段に連結された回転支軸と、この回転支軸に設けられるとともに前記第２の通路を遮断する通路遮断部とからなる請求項８に記載の紙幣識別装置。
【請求項１０】
第１の通路と第２の通路の夫々に設けられた入り口センサと、これら入り口センサの出力が接続された制御手段と、この制御手段の出力が接続された駆動手段と、この駆動手段に連結されるとともに、第１の通路あるいは第２の通路のいずれか一方に設けられた少なくとも１つの搬送手段とを有し、前記搬送手段と前記第１の通路あるいは第２の通路を挟んで対向するとともに、第１の紙幣あるいは第２の紙幣を挟んで押圧する第１のゴムローラと、この第１のゴムローラあるいは前記搬送手段のいずれか一方と第１の通路あるいは第２の通路を挟んで対向して設けられるとともに、第１の紙幣あるいは第２の紙幣を挟んで押圧する第２のゴムローラとを有し、前記第１のゴムローラと前記第２のゴムローラと前記搬送手段とは、前記第１の通路と前記第２の通路との交差部の前方に配置された請求項２に記載の紙幣識別装置。
【請求項１１】
挿入口には、通路へ連結されるとともに、第１の紙幣の幅よりも広い幅を有する第１の傾斜面と、第２の通路へ連結されるとともに、第２の紙幣の幅よりも広い幅を有した第２の傾斜面とを有した請求項２に記載の紙幣識別装置。
【請求項１２】
紙幣誘導部は、挿入口に設けられ、前記紙幣誘導部は、第１の紙幣の幅よりも広い幅を有する第１の傾斜面と、前記第１の紙幣の幅より狭い幅であるとともに第２の紙幣の幅よりも広い幅を有した第２の傾斜面とを有し、この第２の傾斜面と前記第１の傾斜面とは、異なった角度とした請求項１に記載の紙幣識別装置。
【請求項１３】
通路には少なくとも３つ以上の入り口センサを有し、これらの入り口センサの最も外側に配置された２つの入り口センサ間の距離は、第２の紙幣の幅以上とした請求項１１に記載の紙幣識別装置。
【発明の詳細な説明】
【技術分野】
【０００１】
本発明は、自動販売機や遊技機器において紙幣の識別に用いられる紙幣識別装置に関するものである。
【背景技術】
【０００２】
以下、従来の紙幣識別装置について図面を参照しながら説明する。図９は、従来の紙幣識別装置の断面図である。図９において紙幣の挿入口１は通路２に連結されており、通路２には搬送手段３が配設されている。この例では搬送手段３はプーリと、このプーリ３ａに張られたベルト３ｂによって構成され、この搬送手段３によって紙幣４が搬送される。また、通路２には紙幣４の識別手段として用いられる磁気センサ５と光学センサ６ａ，６ｂが配設されている。
【０００３】
通路２の後方には紙幣収納部への出口（図示せず）があり、識別手段５，６ａ，６ｂと出口との間には、一端が支点の周りに回動自在に支持され、他端が通路２に突出した引抜防止爪が設けられている。
【０００４】
以下、従来の紙幣識別装置の動作を説明する。挿入口１から紙幣４が挿入されると、入り口センサ７ａ，７ｂが紙幣を検出して制御手段（図２）に信号を送り、この制御手段（図２）が搬送手段３を駆動し、紙幣を通路２に沿って搬送する。
【０００５】
紙幣が通路２を搬送される間、磁気センサ５と光学センサ６ａ，６ｂが紙幣４を走査して予め定められた真券の特性と一致するか否かを調べ、不一致であれば搬送手段３を逆転させて紙幣４を挿入口１側へ返却し、一致すればさらに後方へ追加搬送する。
【０００６】
なお、この出願の発明に関連する先行技術文献情報としては、例えば、特許文献１が知られている。
【特許文献１】特開昭５６−１６２８７号公報
【発明の開示】
【発明が解決しようとする課題】
【０００７】
しかしながらこのような従来の紙幣識別装置では、幅の狭い紙幣が挿入された場合、その紙幣の幅方向の位置は定まらず識別手段は、予め定められた規定の場所の特徴を検出することができないので、幅の狭い紙幣を認識できないという問題を有していた。
【０００８】
そこで本発明は、この問題を解決したもので、幅の広い紙幣と、狭い紙幣とを共に識別することができる紙幣識別装置を提供することを目的としたものである。
【課題を解決するための手段】
【０００９】
この目的を達成するために本発明の紙幣識別装置は、前記挿入口あるいは前記通路の前方の少なくとも一方には、第１の紙幣と第２の紙幣の夫々を前記通路の予め定められた位置へ誘導する紙幣誘導部を有したものである。
【００１０】
これにより、幅の狭い紙幣の幅方向の位置を精度良く制限することができるので、幅の広い紙幣と、狭い紙幣とを共に識別することができる。
【００１１】
本発明の請求項１に記載の発明は、第１の紙幣とこの第１の紙幣より幅の狭い第２の紙幣とを識別する紙幣識別装置において、前記紙幣識別装置は、前記第１の紙幣が挿入される挿入口と、この挿入口に連結して設けられた通路と、この通路に設けられた搬送手段と、前記通路の途中に設けられた識別手段と、前記通路の後方に設けられた出口とを備え、前記挿入口あるいは前記通路の前方の少なくとも一方には、前記第１の紙幣と前記第２の紙幣の夫々を前記通路の予め定められた位置へ誘導する紙幣誘導部を有した紙幣識別装置であり、これにより、紙幣誘導部において、幅の異なる紙幣夫々に対して幅方向の位置を規制することができるので、幅の狭い紙幣の幅方向の位置を精度良く制限することができる。従って、幅の広い紙幣と、狭い紙幣とを共に識別することができる紙幣識別装置を提供することができる。
【００１２】
請求項２に記載の発明は、紙幣誘導部は、第１の紙幣が挿入される第１の通路と、第２の紙幣が挿入される第２の通路とから構成され、前記第２の通路は、第１の通路の上方あるいは下方に並列に設けられるとともに、前記第２の通路の幅は前記第１の紙幣の幅より狭くするとともに、前記第１の通路と前記第２の通路とは少なくとも前記識別手段よりも挿入口側で交わる請求項１に記載の紙幣識別装置であり、幅の狭い第２の紙幣を通過させる第２の通路を有しているので、幅の狭い紙幣の幅方向の位置を精度良く制限することができる。従って、幅の広い紙幣と、狭い紙幣とを共に識別することができる紙幣識別装置を提供することができる。
【００１３】
また、第２の挿入口の幅は、第１の紙幣の幅より小さいので、第１の紙幣が誤って第２の挿入口へ挿入されることを防止することができる。
【００１４】
請求項３に記載の発明は、搬送手段は、第１の通路と第２の通路とが交わる交差部と識別手段との間に設けられた請求項２に記載の紙幣識別装置であり、搬送手段が交差部より後方にあるので、搬送手段は第１の紙幣と第２の紙幣の双方の紙幣を搬送することができる。従って、搬送手段はどちらの紙幣に対しても共用して使用することができるので、それぞれの通路に設ける必要が無く、低価格な紙幣識別装置を実現することができる。
【００１５】
請求項４に記載の発明は、第１の通路の側面に設けられるとともに、紙幣の挿入を検出する２個の入り口センサを設け、これらの入り口センサからの出力が、接続された制御手段を有し、前記２個の入り口センサ間の間隔は、第２の紙幣の幅より広くするとともに、前記制御手段は前記入り口センサの双方で紙幣挿入を検知した場合にのみ、搬送手段を駆動させる請求項２に記載の紙幣識別装置であり、入り口センサの間隔は第２の紙幣の幅よりも大きいので、たとえ第２の紙幣が第１の挿入口へ挿入されても入り口センサは働かない。従って、第２の紙幣が、第１の挿入口側から搬入されることを防止することができる。
【００１６】
請求項５に記載の発明は、入り口センサは、回転自在に軸支された伝達部と、この伝達部の一方にＬ字状に設けられるとともに前記第１の通路へ突出する感知部と、前記伝達部の他方に設けられた遮蔽板とから成り、この遮蔽板を挟んで設けられたフォトインタラプタの出力が制御手段に接続されるとともに、紙幣の挿入による伝達部の回転によって、前記フォトインタラプタからの出力をオン・オフする請求項４に記載の紙幣識別装置であり、フォトインタラプタは直接紙幣の通貨を感知せず、感知部の動作に連動した遮蔽板の動作によって紙幣の通過を検知するので、紙幣の汚れやごみなどによる紙幣通過の検出の誤動作が発生し難くなる。
【００１７】
請求項６に記載の発明は、２個の入り口センサは、遮蔽板の外面側を互いに対向して配置された請求項５に記載の紙幣識別装置であり、遮蔽板が互いに対向しているので、これらの対向した２枚の遮蔽板を挟むようにフォトインタラプタを挟んでやれば、１個のフォトインタラプタで２個の入り口センサを看視することができる。
【００１８】
請求項７に記載の発明は、第１の通路と第２の通路の夫々に入り口センサを配置した請求項２に記載の紙幣識別装置であり、夫々の通路にセンサが設けてあるので第１の紙幣と第２の紙幣のどちらの紙幣が挿入されたかを検知することができる。
【００１９】
請求項８に記載の発明は、第２の通路に配置した入り口センサと、第１の通路と第２の通路との交差部には設けられるとともに、前記第２の通路を遮断するように付勢された通路切替手段と、この通路切替手段に接続された駆動手段と、この駆動手段を制御する制御手段とを有し、前記制御手段は、第２の紙幣挿入時に前記駆動手段を駆動して前記通路切替手段で第２の通路を開放する請求項２に記載の紙幣識別装置であり、第２の紙幣が挿入された場合に第２の通路が開放されるので、第２の紙幣は第２の挿入口から第２の通路を介して第１の通路へ搬入される。従って、識別手段に対する位置精度を良くすることができる。
【００２０】
また、切替手段は第２の通路を遮蔽するように付勢されているので、第１の紙幣を搬入することができる。さらに、挿入された紙幣を返却する場合には、切替手段は第２の通路を動作させる必要は無く、塞いだ状態のままで良いので、素早く紙幣を返却することができる。
【００２１】
請求項９に記載の発明は、通路切替手段は、駆動手段に連結された回転支軸と、この回転支軸に設けられるとともに前記第２の通路を遮断する通路遮断部とからなる請求項８に記載の紙幣識別装置であり、通路切替手段は樹脂などによって容易に一体で成形することができる。従って、通路切替手段の構造を簡素化することができ、低価格である。また、通路切替手段は、軽量化できるので、通路切替手段の動作の応答を早くすることができ、第２の紙幣の受け入れが素早くなる。
【００２２】
請求項１０に記載の発明は、第１の通路と第２の通路の夫々に設けられた入り口センサと、これら入り口センサの出力が接続された制御手段と、この制御手段の出力が接続された駆動手段と、この駆動手段に連結されるとともに、第１の通路あるいは第２の通路のいずれか一方に設けられた少なくとも１つの搬送手段とを有し、前記搬送手段と前記第１の通路あるいは第２の通路を挟んで対向するとともに、第１の紙幣あるいは第２の紙幣を挟んで押圧する第１のゴムローラと、この第１のゴムローラあるいは前記搬送手段のいずれか一方と第１の通路あるいは第２の通路を挟んで対向して設けられるとともに、第１の紙幣あるいは第２の紙幣を挟んで押圧する第２のゴムローラとを有し、前記第１のゴムローラと前記第２のゴムローラと前記搬送手段とは、前記第１の通路と前記第２の通路との交差部の前方に配置された請求項２に記載の紙幣識別装置であり、第２のゴムローラは搬送手段かあるいは第１のゴムローラと対向して設けられている。つまり、搬送手段あるいは第１のゴムローラのどちらか一方は第１の紙幣と第２の紙幣のどちらの紙幣搬送に対しても共用されることとなる。従って、構造が容易となるので、低価格な紙幣識別装置を実現することができる。
【００２３】
また、搬送手段は第１のゴムローラとが対向し、第２のゴムローラが搬送手段かあるいは第１のゴムローラと接触回転することとなるので、搬送手段は第１のゴムローラとの回転方向と、第２のゴムローラの回転方向は反対となる。従って一方の挿入口へ挿入された紙幣を搬送時には、他方からの挿入を排除することができるので、夫々の挿入口から挿入された２枚の紙幣が、第１の通路と第２の通路との交差部の後方の通路で重なって詰まることや、ジャムることを防ぐことができる。
【００２４】
請求項１１に記載の発明は、挿入口には、通路へ連結されるとともに、第１の紙幣の幅よりも広い幅を有する第１の傾斜面と、第２の通路へ連結されるとともに、第２の紙幣の幅よりも広い幅を有した第２の傾斜面とを有した請求項２に記載の紙幣識別装置であり、第１の傾斜面と第２の傾斜面によって、第１の紙幣と第２の紙幣夫々を各通路へ誘導することができる。従って、さらに確実に紙幣の位置を規制することができる。
【００２５】
また、傾斜面がガイドとなるので、紙幣を通路へ挿入しやすくなる。
【００２６】
請求項１２に記載の発明は、紙幣誘導部は、挿入口に設けられ、前記紙幣誘導部は、第１の紙幣の幅よりも広い幅を有する第１の傾斜面と、前記第１の紙幣の幅より狭い幅であるとともに第２の紙幣の幅よりも広い幅を有した第２の傾斜面とを有し、この第２の傾斜面と前記第１の傾斜面とは、異なった角度とした請求項１に記載の紙幣識別装置であり、紙幣誘導部は挿入口に設けられているので、この挿入口を取り替えるだけで、容易に幅の異なる紙幣の識別をすることができる。従って、幅の異なる他国の紙幣を識別する紙幣識別装置のために、別の紙幣識別装置を準備する必要がないので、部品在庫の管理や、製品在庫の管理などを簡素化させることができる。
【００２７】
請求項１３に記載の発明は、通路には少なくとも３つ以上の入り口センサを有し、これらの入り口センサの最も外側に配置された２つの入り口センサ間の距離は、第２の紙幣の幅以上とした請求項１１に記載の紙幣識別装置であり、入り口センサのうちの２つのセンサ間の間隔は、第２の紙幣の幅より大きいので、第２の紙幣が挿入されても紙幣が挿入されたことを検知しない。従って、搬送手段が作動しないので、誤って通路から第２の紙幣を取り込むことはない。
【発明の効果】
【００２８】
以上のように本発明によれば、挿入口あるいは前記第１の通路の少なくとも一方には、前記第１の紙幣と前記第２の紙幣の夫々を前記第１の通路の予め定められた位置へ誘導する紙幣誘導部を有している。これにより、紙幣誘導部において、幅の異なる紙幣夫々に対して幅方向の位置を規制することができるので、幅の狭い紙幣の幅方向の位置を精度良く制限することができる。従って、幅の広い紙幣と、狭い紙幣とを共に識別することができる紙幣識別装置を提供することができる。
【発明を実施するための最良の形態】
【００２９】
（実施の形態１）
本発明は、２種類以上の幅の異なる紙幣を識別する紙幣識別装置に関するものである。
【００３０】
以下、本発明の実施の形態について図面を用いて説明する。図１は実施の形態１における紙幣識別装置の要部断面図である。図１において、２１は金属製の筐体である。この金属製の筐体２１の側面上方には、紙幣が挿入される挿入口２２が設けられている。
【００３１】
なお、この挿入口２２には、幅が７０ｍｍの幅広の紙幣２３（第１の紙幣の一例として用いた）を通路２４へ誘導する誘導面２２ａ（第１の傾斜面の一例として用いた）と、幅が６２ｍｍの狭い幅の紙幣２５（第２の紙幣の一例として用いた）を通路２６（第２の通路の一例として用いた）へ誘導する誘導面２２ｂとを有している。
【００３２】
なお、通路２４の幅は、７２ｍｍとし、通路２６の幅は６３ｍｍとしている。また、これら誘導面２２ａ，２２ｂに対向した面２２ｃ，２２ｄと、誘導面２２ａ，２２ｂとは通路２４あるいは通路２６に向かってその幅が小さくなる方向へ傾斜をしている。
【００３３】
そして、通路２４の上面には、紙幣２３の挿入を検知する入り口センサ２７が設けられ、通路２６の上面には、紙幣２５の挿入を検知する入り口センサ２８が設けられている。２９は、通路２４と通路２６との間に設けられた駆動ローラ（駆動手段の一例として用いた）であり、この駆動ローラ２９は通路２４に設けられたローラ３０（第１のゴムローラあるいは第２のゴムローラの一例として用いた）及び、通路２６に設けられたローラ３１（第１のゴムローラあるいは第２のゴムローラの一例として用いた）との双方に対向して設けられる。なお、これら駆動ローラ２９とローラ３０によって、紙幣２３を挟んで押圧することで、紙幣２３を搬送する。また、駆動ローラ２９とローラ３１とによって、紙幣２５を挟んで押圧することで、紙幣２５を搬送する。
【００３４】
２４ａは、通路２４における通路２６との交差部であり、２４ｂはこの交差部２４ａの後方に連結して設けられた通路２４の共通通路部である。また３２は、共通通路部２４ｂに沿って紙幣２５を出口（図示せず）を介して収納部（図示せず）へ搬送する搬送手段であり、ここでは２つのプーリ３２ａ（一方は図示せず）と、このプーリ３２ａに掛けられたベルト３２ｂ及び、プーリ３２ａとの間に紙幣２３あるいは紙幣２５を挟むように配置されたローラ３２ｃとから構成されている。
【００３５】
３３は、搬送手段３２の出口側に設けられた紙幣の識別手段である。この識別手段３３は、通路２４ｂの一方の壁面に設けられた表面実装型の発光ダイオード３３ａと、この発光ダイオード３３ａと通路２４ｂを隔てて対向した位置に、受光素子として表面実装型のフォトダイオード３３ｂが装着されている。なお、本実施の形態１においては、さらに発光ダイオードと同じ側の壁面の上方に磁気センサも配置している。
【００３６】
図２は、本実施の形態１における紙幣識別装置の回路ブロック図である。図２において、図１と同じものについては同じ番号を付し、その説明は簡略化している。４１は、制御手段であり、入り口センサ２７，２８の出力が供給され、紙幣２３あるいは紙幣２５が挿入されたことを検出するものである。また、この制御手段４１の入力には、発光ダイオード３３ａの入力も接続されている。
【００３７】
次に、搬送手段３２のプーリ３２ａはモータ４２により駆動される。そして、このモータ４２は、制御手段４１からモータ駆動回路４３を介して駆動される。なお、４４は、モータ４２に連結してモータ４２の回転を検知するための同期パルス発生手段であり、制御手段４１に接続されている。
【００３８】
次に、フォトダイオード３３ｂの出力信号は、入力信号の強さに対して対数の関係で出力される対数増幅回路４５に接続され、この対数増幅回路４５の出力はリニア増幅回路４６と、ＡＤ変換手段４７とをこの順に介して制御手段４１に接続される。また、対数増幅回路４５の基準電流はＤＡ変換手段４８を介して制御手段４１から供給されている。なお、制御手段４１としては多数の入出力ポートを有する１チップマイコンが使用されることが一般的である。
【００３９】
次に、このように構成された本発明の実施の形態１における紙幣識別装置の動作を説明する。まず、入り口センサ２７あるいは入り口センサ２８が、紙幣２３あるいは紙幣２５の挿入を検知すると、制御手段４１はモータ４２を起動して搬送手段３２，２９を駆動し、紙幣２３や紙幣２５を引き込む。
【００４０】
搬送手段３２が搬送する紙幣２３あるいは２５に対し、識別手段３３で情報を検出する。そして、制御手段４１が検出したデータと、基準値格納手段４９に予め格納された真券と判定すべき値とを比較することで、紙幣の真偽判定を行っている。
【００４１】
ここで、通路２４側の入り口センサ２７は、紙幣２３の挿入のみを検知する構成としておくことが重要である。そこで以下に本実施の形態１における入り口センサ２７について図面を用いて詳細に説明する。
【００４２】
図３は、入り口センサ２７の断面図である。図４（ａ）は、紙幣２３が未挿入状態の入り口センサの動作説明図であり、図４（ｂ）は、紙幣２３が挿入状態の入り口センサの動作説明図である。図３、図４（ａ）、図４（ｂ）において、図１と同じものについては、同じ番号を付し、その説明は簡略化する。
【００４３】
図３、図４（ａ）、図４（ｂ）において、入り口センサ２７は、入り口センサ２７ａ，２７ｂとで構成され、共に回転軸５１によって回転自在に軸支された伝達部５２と、この伝達部５２の一方の端にＬ字状に設けられた感知部５３ａ，５３ｂと、伝達部５２ａ，５２ｂの他方の端に設けられた遮蔽板５４ａ，５４ｂとから成り、これらの遮蔽板５４ａ，５４ｂの外面側５４ｃと５４ｄが互いに対向するように配置されている。そして、これら２組の遮蔽板５４ａ，５４ｂの内面側５４ｅと５４ｆを挟むようにフォトインタラプタ５５が設けられ、このフォトインタラプタ５５の出力は制御手段４１へ接続されている。。なお、この場合２組の入り口センサ２７ａと入り口センサ２７ｂの伝達部５２ａと５２ｂとの中心軸は一直線上となるように配置される。
【００４４】
次に図４（ａ）、図４（ｂ）を用いて入り口センサ２７ａ，２７ｂの動作について説明する。図４（ａ）は、紙幣２３が未挿入の状態であり、感知部５３ａ，５３ｂが共に通路２４へ突出した状態となる。ここで、本実施の形態１においては、フォトインタラプタ５５は発光ダイオードと受光素子によって構成され、この状態では遮蔽板５４ａ，５４ｂによってフォトインタラプタ５５が遮られる。
【００４５】
次に紙幣２３が挿入されると、紙幣２３によって感知部５３ａ，５３ｂが回転軸５１を中心に回転し、通路２４から退避する。この感知部５３ａ，５３ｂの動作によって遮蔽板５４ａ，５４ｂも回転し、フォトインタラプタ５５の受光素子は、フォトインタラプタ５５の発光ダイオードの光を受光することとなる。従って、通路２４へ紙幣２３が挿入されたことを検知することができる。
【００４６】
なお、ここで、幅の狭い紙幣２５が誤って通路２４へ挿入された場合に、この入り口センサ２７が紙幣２５の挿入を検知しないようにすることが必要である。そこで、本実施の形態１においては、感知部５３ａと５３ｂの幅寸法５６を紙幣２５の幅よりも大きくしている。つまり、この幅寸法５６を紙幣２５の幅より広くすることで、幅の狭い紙幣２５は、双方の感知部５３ａと５３ｂとを共に押し下げることはなくなる。
【００４７】
つまり、紙幣２５が通路２４へ挿入されたような場合において、入り口センサ２７ａ，２７ｂのいずれか一方が紙幣２５の挿入を検知したとしても、検知した側の遮蔽板のみが回転するだけであるので、依然としてフォトインタラプタ５５の光軸は遮られたままとなる。一方、幅の広い紙幣２３によって、感知部５３ａと５３ｂの双方が紙幣挿入を検知した場合、双方の感知部５３ａ，５３ｂが回転し、フォトインタラプタ５５の光軸が開放された状態となる。フォトインタラプタ５５は、光軸が開放されたことを検知すると、制御手段４１へ通路２４に紙幣２３が挿入されたことを検知した旨の信号を出力する。なお、本実施の形態１において、幅寸法５６は６３ｍｍとしている。
【００４８】
そしてこの信号を受け取った制御手段４１は、モータ４２を回転させ、駆動ローラ２９と搬送手段３２とを動作させ、紙幣２３を搬入する。この場合、駆動ローラ２９は、Ａ方向（図１）に回転させる。これによって、通路２６側においては、紙幣２３を排出する方向に回転し、通路２４側で紙幣２３を搬送中は、新たな紙幣２５が通路２６へ搬入されることを防ぐことができる。なお、制御手段４１は、識別手段３３によって紙幣の識別が完了するまでの間は、入り口センサ２７から紙幣の挿入があった旨の信号を無視する。
【００４９】
以上の構成によって、通路２４から幅の広い紙幣２３のみが挿入され、幅の狭い紙幣２５は通路２６側から搬入されることとなる。従って、幅の異なる夫々の紙幣２３，２５に対し通路を専用化することで、紙幣の幅方向の位置を規制することができるので、紙幣２３，２５の双方に対して幅方向の位置を精度良く制限することができる。従って、幅の広い紙幣と、狭い紙幣とを共に識別することができる紙幣識別装置を提供することができる。
【００５０】
また、本実施の形態１においては、駆動ローラ２９とゴムローラ３０，３１とが交差部２４ａより挿入口２２側に設けられているので、紙幣はこの駆動ローラ２９の回転によってのみ共通通路２４ｂへ搬送される。従って、誤って一度に双方の通路へ紙幣を挿入しても、一方の紙幣のみを受け付けることができる。
【００５１】
さらに、交差部２４ａに、通路切替手段５０（図２）を設け、入り口センサが検知した側の通路が開放となるようにしてやれば、確実に一方に挿入された紙幣のみを受付することができる。この場合、通路切替手段５０は、樹脂製の回転支軸と、この回転支軸と一体に成形された通路遮蔽部とから構成されている。そして、通路遮蔽部は、通常は通路２６を塞ぐ方向に付勢して保持されており、入り口センサ２８が紙幣２５の挿入を検知した場合に、回転支軸を中心に回転して、通路２６を開放する。
【００５２】
なお、この通路切替手段５０は樹脂成型などで一体に作成することができるので、低価格に実現できるとともに、通路切替手段５０を軽量化することができる。また、軽量化することにより、通路切替手段５０の応答を早くすることができ、紙幣の受け入れが素早くなる。
【００５３】
また、紙幣２３あるいは紙幣２５を挿入口２２へ返却する場合は、通路切替手段５０は通路２６を塞ぐ方向のままとしておく。通路２４の幅は広いので、紙幣２３，２５のどちらの紙幣も挿入口２２より返却することができる。また、通路２６の幅は、紙幣２３の幅よりも狭くしているので、通路２６へ紙幣２３が挿入されることはない。
【００５４】
（実施の形態２）
図５は、本実施の形態２における紙幣識別装置の断面図であり、図６は同正面図である。図５、図６において図１と同じものについては、同じ番号を付し、その説明を簡略化してある。
【００５５】
６１は、筐体２１の側面上方に設けられた挿入口である。この挿入口６１には紙幣２３の幅よりも広い幅を有した傾斜面６１ａを設け、この傾斜面６１ａの下方に、紙幣２５の幅よりも広く、かつ紙幣２３の幅よりも狭い幅を有した傾斜面６１ｂが設けられている。なお、傾斜面６１ａは下方へ傾斜しており、この傾斜面６１ａとこの傾斜面６１ａの裏面６１ｃとの傾斜角度を、略同一とすることで、紙幣２５を挿入し易くなる。
【００５６】
なお、傾斜面６１ａと対向した傾斜面６１ｄとは手前から奥方向へ向かって高さが狭くなる角度で配置されている。また、傾斜面６１ｂと傾斜面６１ｃとも手前から奥方向へ向かって高さが狭くなる角度で配置されている。これによって、紙幣２３あるいは紙幣２５を通路２４，２６へ挿入し易くなる。
【００５７】
ここで挿入口６１の傾斜面６１ａと６１ｃとの間の壁６２の先端６２ａを通路２４に突出させることによって、通路２６を形成している。
【００５８】
なお、本実施の形態２においては、入り口センサ２８は、通路２４と通路２６の交差部２４ａに、通路２６の下面から上方に向けて、通路２６と通路２４の双方を横断するように設けている。一方、本実施の形態２において、入り口センサ２７は、共通通路部２４ｂに２個設けられており、それらの入り口センサ２７ｂの間隔は紙幣２５の幅よりも広くしている。
【００５９】
従って、本実施の形態２において、傾斜面６１ｂに沿って挿入された紙幣２５は、入り口センサ２８によって検知されることとなる。一方、傾斜面６１ａに沿って、通路２４へ挿入された紙幣２３は、入り口センサ２７，２８の双方で検知される。以上の構成によって、紙幣２５は、傾斜面６１ｂに沿って通路に挿入された場合にのみ搬入され、誤って通路２４側へ挿入されても検知しないので、その紙幣２５が通路２４側から搬入されてしまうことはない。
【００６０】
（実施の形態３）
図７は、本実施の形態３における紙幣識別装置の断面図であり、図８は、その正面図である。図７、図８において図６、図７と同じものについては、同じ番号を付し、その説明を簡略化してある。
【００６１】
７１は、筐体２１の側面上方に設けられた挿入口である。この挿入口７１には紙幣２３の幅よりも広い幅を有した傾斜面７１ａと、紙幣２５の幅よりも広く、かつ紙幣２３の幅よりも狭い幅を有した傾斜面７１ｂが設けられている。なお、傾斜面７１ａ，７１ｂは、ともに下方へ傾斜し、これら傾斜面７１ａ，７１ｂの先端は、通路７２へ連絡されている。この通路７２は、その入り口がＴの字状であり、幅広通路部７２ａの幅は、紙幣２３の幅よりも広く、幅細通路部７２ｂの幅は、紙幣２５の幅より狭くしている。なお、本実施の形態３における幅広通路部の幅は、７２ｍｍであり、幅細通路部の幅は、６３ｍｍとしている。
【００６２】
なお、本実施の形態３においては、入り口センサ７３は、幅細通路部７２ｂの下面から上方に向けて、幅広通路部７２ａと幅細通路部７２ｂとの双方を横断するように設けている。一方、入り口センサ７４は、共通通路７２に２個設けられており、それらの入り口センサ７２の間隔７５は、紙幣２５の幅よりも広くしている。
【００６３】
従って、本実施の形態３において、傾斜面７１ｂに沿って幅細通路７２ｂへ挿入された紙幣２５は、入り口センサ７３によって検知されることとなる。一方、傾斜面７１ａに沿って、幅広通路７２ａへ挿入された紙幣２３は、入り口センサ７３，７４の双方で検知される。以上の構成によって、紙幣２５は、傾斜面６１ｂに沿って通路に挿入された場合にのみ搬入され、誤って通路２４側へ挿入されても検知しないので、その紙幣２５が通路２４側から搬入されてしまうことはない。従って、夫々の紙幣２３，２５が挿入される位置の精度を良くすることができるので、安定した識別が可能となる。
【産業上の利用可能性】
【００６４】
本発明にかかる紙幣識別装置は、幅の広い紙幣と、狭い紙幣とを共に識別することができるという効果を有し、特に自動販売機や遊技機器等における紙幣の識別に用いる紙幣識別装置等に対して利用すると有用である。
【図面の簡単な説明】
【００６５】
【図１】本発明の実施の形態１における紙幣識別装置の断面図
【図２】同、ブロック図
【図３】同、入り口センサの前方からの断面図
【図４】（ａ）同、紙幣未挿入時の側面から見た断面図、（ｂ）同、紙幣挿入時の側面から見た断面図
【図５】同、実施の形態２における紙幣識別装置の断面図
【図６】同、正面図
【図７】同、実施の形態３における断面図
【図８】同、正面図
【図９】従来の紙幣識別装置の断面図
【符号の説明】
【００６６】
２２  挿入口
２３  紙幣
２４  通路
２５  紙幣
２６  通路
３２  搬送手段
３３  識別手段
【図１】
2005122427.tif 000003
【図２】
2005122427.tif 000004
【図３】
2005122427.tif 000005
【図４】
2005122427.tif 000006
【図５】
2005122427.tif 000007
【図６】
2005122427.tif 000008
【図７】
2005122427.tif 000009
【図８】
2005122427.tif 000010
【図９】
2005122427.tif 000011